(57)【要約】【課題】スピーカ取付け構造において、ボス部やビス等を用いることなく、比較的重いスピーカであっても電装品取付け台に強い強度で取付け可能にする。【解決手段】画像表示パネルに対向する金属製の電装品取付け台１０に、突出する複数の突起部１７が設けられる。サブウーファ４０の隅部には前記突起部１７に嵌合する嵌合部４１が設けられる。電装品取付け台１０に対向する背面板には、前記電装品取付け台１０の突起部１７とサブウーファ４０の嵌合部４１とが嵌合してサブウーファ４０が取付けられた状態で、前記嵌合部４１の背面板側の面に当たる押え部が設けられる。【選択図】図９
2019212980.tif 000002
【特許請求の範囲】
【請求項１】
画像表示パネルに対向する金属製の電装品取付け台と、前記電装品取付け台に対向する背面板との間にスピーカを取付けるスピーカ取付け構造であって、
前記電装品取付け台に設けられ、該電装品取付け台に突出する複数の突起部と、
前記スピーカに設けられ、前記突起部と嵌合する複数の嵌合部と、
前記背面板に設けられ、前記突起部と前記嵌合部とが嵌合して前記スピーカが取付けられた状態で前記嵌合部の前記背面板側の面に当たる押え部と、を備える
ことを特徴とするスピーカ取付け構造。
【請求項２】
前記背面板は、上下方向の中央部位に開口部を有し、
前記スピーカは、サブウーファであって、前記嵌合部が前記突起部に嵌合した状態で、該スピーカの音声出力面が前記開口部に位置している
ことを特徴とする請求項１記載のスピーカ取付け構造。
【請求項３】
前記突起部は、上下方向に延びる垂直部と、該垂直部の上端及び下端から各々水平方向に延びる２つの水平部から成るコ字形状に形成され、
前記スピーカの嵌合部は、中空円筒状に形成されている
ことを特徴とする請求項１又は２記載のスピーカ取付け構造。
【請求項４】
前記電装品取付け台の前記背面板側の面には金属製の補強板が取付けられ、
前記補強板に前記突起部が形成されている
ことを特徴とする請求項１から請求項３の何れか１項に記載のスピーカ取付け構造。
【請求項５】
前記突起部は、上下方向に延びる垂直部と、該垂直部の上端及び下端から各々水平方向に延びる２つの水平部から成るコ字形状に形成され、
前記スピーカの嵌合部は、中空円筒状に形成されており、
前記補強板には、前記背面板側に向う起立部が形成され、
前記起立部の前記背面板側の端部に前記突起部が形成され、
前記垂直部と前記起立部とに跨って、前記起立部に対する前記突起部の折れ曲り強度を補強する第１補強部が形成されている
ことを特徴とする請求項４記載のスピーカ取付け構造。
【請求項６】
前記起立部は、前記補強板との境目の部位が上下方向に延びる形状に折り曲げられ、
前記起立部の折れ曲り部位には、前記補強板に対する起立部の折れ曲り強度を補強する第２補強部が形成されている
ことを特徴とする請求項５記載のスピーカ取付け構造。
【請求項７】
請求項１から請求項６の何れか１項に記載のスピーカ取付け構造を有するテレビジョン受信機であって、
テレビジョン放送を受信する受信部が前記電装品取付け台に取付けられ、
前記受信部で受信したテレビジョン放送に基づいて音声を前記スピーカから出力すると共に画像を前記画像表示パネルに表示する
ことを特徴とするテレビジョン受信機。
【発明の詳細な説明】
【技術分野】
【０００１】
本発明はスピーカ取付け構造及びこの構造を有するテレビジョン受信機に関し、特に、重量の重いスピーカの取付け構造に関する。
【背景技術】
【０００２】
従来、スピーカ取付け構造としては、中心部分に孔を形成したボス部を部品取付け台に形成する一方、スピーカの四隅に孔部を形成し、前記部品取付け台の正面にスピーカを配置した状態で、部品取付け台のボス部にスピーカの孔部を合わせて、部品取付け台の背面からビスをボス部と孔部に挿入してスピーカをビスで固定する構造が一般的である。
【０００３】
しかしながら、前記従来の取付け構造では、部品取付け台にボス部を追加工する必要があり、作業工数が多くなる。また、ビスなどを要して部品点数が多くなる欠点がある。
【０００４】
そのため、特許文献１では、ボス部やビスを用いないスピーカ取付け構造を開示している。この特許文献では、テレビジョン受信機において、樹脂製のフロントキャビネットの下部に放音口を形成し、この放音口の周囲に背面側に延びる嵌合突起を複数形成する一方、メインスピーカの正面には複数の嵌合部を形成しておき、前記フロントキャビネットの背面と背面板との間にメインスピーカを配置し、メインスピーカをフロントキャビネットの放音口に位置させた状態で、メインスピーカの各嵌合部にフロントキャビネットの各嵌合突起を嵌め合わせて、メインスピーカをフロントキャビネットの背面に取付ける構成としている。
【先行技術文献】
【特許文献】
【０００５】
【特許文献１】特開２０１５−１３５４８０号公報
【発明の概要】
【発明が解決しようとする課題】
【０００６】
しかしながら、特許文献1の構成では、樹脂製のフロントキャビネットに形成した樹脂製の嵌合突起をスピーカの嵌合部に嵌め合わせているため、重量が比較的小型で軽いメインスピーカには対応できるものの、重量が比較的重たいスピーカを取付ける場合、特に重量が重たいサブウーファ等を例えばテレビジョン受信機の下部ではなく、上下方向の中央部付近などの比較的高い位置に取付ける場合などでは、支持強度が不足する欠点が生じる。
【０００７】
本発明は、スピーカ取付け構造において、重量が比較的重たいスピーカであっても、また、スピーカの配置位置がテレビジョン受信機の上下方向の中央部付近等の高い位置であっても、スピーカを高い支持強度で取付けできる構造とすることを目的とする。
【課題を解決するための手段】
【０００８】
本発明にかかるスピーカ取付け構造は、画像表示パネルに対向する金属製の電装品取付け台と、前記電装品取付け台に対向する背面板との間にスピーカを取付けるスピーカ取付け構造であって、前記電装品取付け台に設けられ、該電装品取付け台に突出する複数の突起部と、前記スピーカに設けられ、前記突起部と嵌合する複数の嵌合部と、前記背面板に設けられ、前記突起部と前記嵌合部とが嵌合して前記スピーカが取付けられた状態で前記嵌合部の前記背面板側の面に当たる押え部と、を備えることを特徴とする。
【０００９】
前記の構成では、金属製の電装品取付け台に突起部を設け、この突起部をスピーカの嵌合部に嵌合させてスピーカを電装品取付け台に取付け、この取付け状態において前記嵌合部の背面板側の面に背面板の押え部を当てて、スピーカの脱落を防止している。従って、スピーカは金属製の電装品取付け台に高い強度で取付けられた状態となるので、スピーカが重量の重い例えばサブウーファ等であっても、またこの重いスピーカが電装品取付け台の上下方向の中央部付近などの高い位置に取付けられていても、スピーカの取付け強度は高く保持される。
【００１０】
また、突起部と嵌合部との嵌め合いによりスピーカを電装品取付け台に取付けるので、ボス部やビスが不要である。従って、電装品取付け台に追加工が不要であり、電装品取付け台を複数種のテレビジョン受信機用に共用できる。また、部品点数を少なくできる共に、作業工数も少なくなる。
【発明の効果】
【００１１】
本発明によれば、部品点数や作業工数を削減しつつ、重量の重いスピーカであっても、スピーカを電装品取付け台に高い強度で取付けることができる。
【図面の簡単な説明】
【００１２】
【図１】実施形態１のスピーカ取付け構造を含むテレビジョン受信機を正面側から見た斜視図である。
【図２】同テレビジョン受信機を背面側から見た斜視図である。
【図３】同テレビジョン受信機において、画像表示パネル付きの電装品取付け台とスピーカと背面板との配置位置関係を示す分解斜視図である。
【図４】同電装品取付け台に取付けられる補強板の構成を示す斜視図であり、同図（ａ）は右側の補強板を示す図、同図（ｂ）は左側の補強板を示す図である。
【図５】同電装品取付け台に取付けた２枚の補強板周りの拡大斜視図である。
【図６】補強板の要部の拡大図であり、同図（ａ）は右側の補強板の要部を示す図、同図（ｂ）は左側の補強板の要部を示す図である。
【図７】サブウーファの全体構成を示す斜視図である。
【図８】同サブウーファの嵌合部周りの拡大図である。
【図９】同サブウーファを電装品取付け台に取付ける様子を示す斜視図であって、同図（ａ）は取付け前の状態を示す図、同図（ｂ）は取付け後の状態を示す図である。
【図１０】同サブウーファの嵌合部と電装品取付け台の突起部との嵌合の様子を示す拡大図であり、同図（ａ）は正面図、同図（ｂ）は断面図である。
【図１１】同テレビジョン受信機に備える背面板を示す斜視図であり、同図（ａ）は正面側を示す図、同図（ｂ）は背面側を示す図ある。
【図１２】同背面板の正面側の要部の拡大図である。
【図１３】電装品取付け台と背面板との間にサブウーファを取付けた状態での要部の拡大断面図ある。
【図１４】実施形態２のスピーカ取付け構造に含む電装品取付け台の突起部周りの構成を示す図である。
【図１５】実施形態３のスピーカ取付け構造に含む電装品取付け台の突起部周りの構成を示す図である。
【発明を実施するための形態】
【００１３】
以下、本発明の実施形態を図面に基づいて説明する。
【００１４】
（実施形態１）
図１は、実施形態１に係るスピーカ取付け構造を有するテレビジョン受信機を正面側から見た外観を示す斜視図、図２は同テレビジョン受信機を背面側から見た外観を示す斜視図である。尚、以下の説明では、通常使用する状態で配置されたテレビジョン受信機について説明するものとし、鉛直方向を上下方向とし、水平方向を左右方向とする。また、テレビジョン受信機の画像表示面に向かって見て、手前側を正面側（前側）とし、正面側とは反対側を背面側（後側）とする。
【００１５】
図１、図２において、テレビジョン受信機１は、正面側に左右方向に長い四角形状の画像表示パネル２を有する。画像表示パネル２は液晶パネル又は有機ＥＬパネル（Organic Electro-Luminescence Panel）などで構成される。
【００１６】
テレビジョン受信機１の背面側には、前記画像表示パネル２を背面側から覆う四角形状の背面板６０が位置している。背面板６０には、その上下及び左右方向の中央部のやや上方の部位に網目状の開口部６０ａが形成されている。この開口部６０ａは、放音口として、後述するようにスピーカ取付けの対象となるサブウーファの音声出力面が臨むものである。
【００１７】
図３は、テレビジョン受信機１の分解斜視図を示す。テレビジョン受信機１では、内部に、前記画像表示パネル２（図３では図示せず）が正面側に取付けられた電装品取付け台１０を備え、この電装品取付け台１０の背面板６０との間にサブウーファ４０が位置している。
【００１８】
前記電装品取付け台１０は、例えばステンレス鋼やアルミニウム等の金属製で構成される。また、電装品取付け台１０は四角形状の平板であり、その背面側には、下端部の左側端部及び右側端部に各々電装品としてメインスピーカ１１が取付けられている。また、中央部よりも左側の領域Ａ、中央部よりも右側の上側及び下側の領域Ｂ、Ｃに、テレビジョン放送を受信する受信部１３や、この受信部１３で受信したテレビジョン放送を信号処理して画像を画像表示パネル２に表示したり音声を前記メインスピーカ１１及びサブウーファ４０から出力する信号処理用の回路基板（図示せず）などの電装品が取付けられている。
【００１９】
そして、前記電装品取付け台１０には、その上下及び左右方向の中央部のやや上方の部位において、電装品取付け台１０と同一材質の金属製の２枚の補強板１５が配置されている。補強板１５同士の間隔は、前記サブウーファ４０の横幅（左右方向の長さ）と略同一幅である。２枚の補強板１５は各々平板状に形成され、長さの長い側を上下方向に配置して、互いに平行に電装品取付け台１０に配置される。
【００２０】
前記補強板１５について、右側の補強板１５を図４（ａ）に、左側の補強板１５を同図（ｂ）に示す。各補強板１５は、電装品取付け台１０への取付け用の複数のネジ孔部１５ａが形成されている。これ等のネジ孔部１５ａは、補強板１５の上端部、下端部、及びその上下端部の間隔を３等分する２つの部位の合計４箇所に設けられる。同様に、電装品取付け台１０にも、各補強板１５の各ネジ孔部１５ａに対応する部位にネジ孔部（図示せず）が形成され、各補強板１５は、図５に拡大表示したように、前記各ネジ孔部１５ａに挿したビス１５ｂ及びナット（図示せず）を用いて電装品取付け台１０の背面側に固定されている。この２枚の補強板１５により、電装品取付け台１０はその中央部周りの上下方向の強度が補強される。
【００２１】
前記左右の補強板１５について、右側と左側の補強板１５は相互に左右対称の構成である。従って、以下、右側の補強板１５についてのみ説明し、左側の補強板１５については同一部分に同一符号を付してその説明を省略する。
図４（ａ）及び図５において、右側の補強板１５には、左端部側の上端部近傍及び下端部近傍に、各々、Ｌ字状部１６と、コ字状の突起部１７とが設けられている。前記Ｌ字状部１６及び突起部１７は、上端部側と下端部との両者で同一構成である。従って、Ｌ字状部１６及び突起部１７の詳細な構成は、上端部側のものについて説明し、下端部側のものについては同一部分に同一符号を付してその説明を省略する。
【００２２】
図６（ａ）は、右側の補強板１５の上端部側のＬ字状部１６及び突起部１７周りの拡大図である。尚、同図（ｂ）に左側の補強板１５の上端部側周りの拡大図を示しておく。図６（ａ）において、Ｌ字状部１６は、電装品取付け台１０の背面に沿って補強板１５の左端から更に左側方向に延長された延長部１６ａと、起立部１６ｂとを有する。延長部１６ａは、上下方向に長く、左右方向に短い平板状である。起立部１６ｂは、前記延長部１６ａの左側端部から背面板６０側に９０°折れ曲って背面板６０側に向う平板状に形成される。従って、Ｌ字状部１６の延長部１６ａと起立部１６ｂとの間の折り曲げ部位１６ｃは、上下方向に延びる直線形状となる。この延長部１６ａと起立部１６ｂとによりＬ字形状を形成する。前記延長部１６ａ及び起立部１６ｂの上下方向の長さは、起立部１６ｂの背面板６０側方向の長さよりも長く形成されている。
【００２３】
また、突起部１７は、前記Ｌ字状部１６の起立部１６ｂの背面板６０側の端部に形成されている。更に、この突起部１７は、起立部１６ｂの背面板６０側の端部において上下方向の中央部に形成される。突起部１７は、前記Ｌ字状部１６の起立部１６ｂから更に背面板６０側に向う平板状の垂直部１７ａと、この垂直部１７ａの上端部及び下端部から各々右側方向に９０°折れ曲って右側方向に向って水平に延びる２つの水平部１７ｂとにより構成される。垂直部１７ａと２つの水平部１７ｂとによりコ字形状を構成する。前記垂直部１７ａが上下方向に延びる長さは、各水平部１７ｂが左右方向に水平に延びる長さよりも長く設定されている。
【００２４】
前記コ字形状の突起部１７において、その垂直部１７ａと前記Ｌ字状部１６の起立部１６ｂとには、この垂直部１７ａと起立部１６ｂとに跨ってテレビジョン受信機１の前後方向に延びる直線状の盛上り部（第１補強部）３０が形成されている。この盛上り部３０は、左側面を凹ませることにより右側面を盛り上げて形成されていて（図６（ｂ）も参照）、垂直部１７ａのテレビジョン受信機１の前後方向の中央部位から起立部１６ｂのテレビジョン受信機１の前後方向の中央部位まで延びて、断面半円上又はかまぼこ状に形成される。この盛上り部３０により、Ｌ字状部１６の起立部１６ｂと突起部１７の垂直部１７ａとの繋がり強度を強くして、Ｌ字状部１６の起立部１６ｂに対してコ字形状の突起部１７が図６（ａ）に矢印で示した左右方向に折れ曲がる強度を補強している。
【００２５】
更に、前記Ｌ字状部１６において、前記延長部１６ａと起立部１６ｂとの境目を成す折れ曲り部位１６ｃ、すなわち上下方向に延びる直線形状をした部位には、この部位の上下方向中央部を右斜め後方側（右斜めで背面板６０側）に屈曲させた屈曲部（第２補強部）３１が形成されている。この屈曲部３１により、Ｌ字状部１６の延長部１６ａと起立部１６ｂとの成す角度を９０°に保持する強度を強くして、補強板１５に対して起立部１６ｂが図６（ａ）に矢印で示した左右方向に折れ曲る強度を補強している。
【００２６】
尚、前記Ｌ字状部１６、突起部１７、盛上り部３０及び屈曲部３１は何れも補強板１５に設けたが、これ等を電装品取付け台１０に直接設けて、２枚の補強板１５を設けない構成としても良い。
【００２７】
図７は、前記サブウーファ４０の全体構成を示す斜視図である。同図において、サブウーファ４０は、四角形状の音声出力面４０ａが上下方向の中央部において左方側に偏って配置されている。また、サブウーファ４０の四隅には、各々、各隅部を内方側に円弧状に切り欠いた空間部４２が形成され、その各空間部４２に前記コ字形状の突起部１７が嵌合する嵌合部４１が形成されている。４つの嵌合部４１の位置は、前記左右の補強板１５に形成した合計４つの突起部１７の位置に対応している。即ち、２枚の補強板１５相互間の突起部１７同士の離隔はサブウーファ４０の左右２つの嵌合部４１間の離隔と同等に設定され、各補強板１５の上下２つの突起部１７間の離隔はサブウーファ４０の上下２つの嵌合部４１間の離隔と同等に設定される。各嵌合部４１は弾性を有するゴムブッシュで構成され、図８に右上部の嵌合部４１を拡大表示するように、円筒状の内周面４１ａを有する中空円筒状に形成されていて、その内径は補強板１５の突起部１７における２つの水平部１７ｂの外端間の距離よりも若干小さく設定される。また、各嵌合部４１の厚さ（奥行き）（テレビジョン受信機１の前後方向側の長さ）は、前記補強板１５の突起部１７における垂直部１７ａ及び水平部１７ｂのテレビジョン受信機１の前後方向の長さと同等に設定される。
【００２８】
図９は、サブウーファ４０を電装品取付け台１０に取付ける様子を示す斜視図である。同図（ａ）は取付け前の状態を示し、同図（ｂ）は取付け後の状態を示している。サブウーファ４０を電装品取付け台１０に取付けるに際しては、サブウーファ４０の音声出力面４０ａが背面板６０（図３参照）側に向くように、サブウーファ４０の音声出力面４０ａとは反対側の面を電装品取付け台１０の背面側に対向させた状態で、サブウーファ４０を電装品取付け台１０の２枚の補強板１５の間に位置付け、その後、サブウーファ４０の四隅の嵌合部４１を電装品取付け台１０上の２枚の補強板１５の４つの突起部１７に圧入して嵌合する。
【００２９】
図１０は、前記サブウーファ４０の右上隅部での嵌合部４１と補強板１５の突起部１７との嵌合の様子を示す拡大図である。同図（ａ）は正面図、同図（ｂ）は断面図である。同図から分かるように、サブウーファ４０の嵌合部４１では、その内周面４１ａ側の上端部及び下端部に補強板１５の突起部１７の２つの水平部１７ｂが嵌合している。また、突起部１７の垂直部１７ａは、嵌合部４１の内周面に嵌合していない。この嵌合状態では、同図（ｂ）から分かるように、Ｌ字状部１６の起立部１６ｂの背面板６０側の端部は、サブウーファ４０の嵌合部４１の正面側端面（テレビジョン受信機１の前方向側の端面）に当接している。その結果、突起部１７の２つの水平部１７ｂの背面板６０側の端面は、嵌合部４１の背面板６０側の端面位置にまで達している。
【００３０】
図１１は、前記背面板６０の全体構成を示す斜視図である。同図（ａ）は正面側を示し、同図（ｂ）は背面側を示している。同図において、背面板６０は、前記電装品取付け台１０に取付けられた状態でのサブウーファ４０の位置、すなわち、電装品取付け台１０の上下及び左右方向の中央部のやや上方の部位に、網目状の開口部６０ａが形成されている。また、背面板６０の正面側には、図１１（ａ）に図示及び図１２に拡大表示するように、４つの押え部６１が形成されている。この４つの押え部６１は、電装品取付け台１０に取付けられた状態でのサブウーファ４０の４つの嵌合部４１の位置に対応する位置に設けられている。これ等の押え部６１は、中空円筒状のリブであって、背面板６０の正面側から電装品取付け台１０側に突出するように形成されている。
【００３１】
また、前記背面板６０には、この背面板６０の開口部６０ａを電装品取付け台１０上のサブウーファ４０の音声出力面４０ａに対応して位置付けるための４つの位置決め部６２形成されている。これ等の位置決め部６２は、中空円筒状に形成されている。
【００３２】
一方、前記２枚の補強板１５には、各々、図５に拡大表示するように、前記背面板６０の４つの位置決め部６２に挿通するための４つの挿通部１８が取付けられる。これ等の挿通部１８は、各補強板１５の上部及び下部に２つ、合計４つ取付けられる。これ等の挿通部１８は、サブウーファ４０の厚みと略同一長さを有する本体部１８ａと、この本体部１８ａの背面板６０側の端部に位置する円筒部１８ｂとを有する。円筒部１８ｂは、前記背面板６０の中空円筒状の位置決め部６２の内周面に挿通可能である。
【００３３】
前記背面板６０の各押え部６１は、背面側から突出する長さが所定長さに設定される。この所定長さは、前記補強板１５の突起部１７と前記サブウーファ４０の嵌合部４１とが嵌合してサブウーファ４０が電装品取付け台１０に取付けられた状態において、前記補強板１５の挿通部１８の円筒部１８ｂが背面板６０の位置決め部６２に挿通されて背面板６０が電装品取付け台１０に取付けられた場合に、背面板６０の各押え部６１の先端面（テレビジョン受信機１の前方向側の面）がサブウーファ４０の嵌合部４１の背面端（背面板６０側の端面）に当たる長さである。
【００３４】
背面板６０を電装品取付け台１０に取付けるに際しては、先ず、サブウーファ４０の嵌合部４１を補強板１５の突起部１７に嵌合させてサブウーファ４０を電装品取付け台１０に取付けておき、この状態において、背面板６０の正面側を電装品取付け台１０の背面側に対向させ、この状態で背面板６０の４つの位置決め部６２に各々補強板１５の４つの円筒部１８ｂを挿通させる。これにより、サブウーファ４０の音声出力面４０ａが背面板６０の開口部６０ａに対向して臨む状態となる。更に、図１３に拡大表示するように、補強板１５の突起部１７とサブウーファ４０の嵌合部４１とが嵌合した状態では、背面板６０の押え部６１の先端面がサブウーファ４０の嵌合部４１の背面端に当って、サブウーファ４０の嵌合部４１が補強板１５の突起部１７から背面板６０側に抜けて脱落することが防止される。
【００３５】
本実施形態では、電装品取付け台１０に固定した２枚の補強板１５の４つの突起部１７をサブウーファ４０の四隅の嵌合部４１に嵌合させて、サブウーファ４０を電装品取付け台１０に取付け、更にその四隅の嵌合部４１の背面板６０側の面を背面板６０の４つの押え部６１で押さえて、サブウーファ４０の脱落を防止した。従って、従来のように電装品取付け台１０にサブウーファ４０取付け用の複数のボス部を設けて、それ等ボス部にサブウーファ４０の隅部をビスで固定する必要がない。よって、電装品取付け台１０にボス部を追加工する工程が不要であり、サブウーファ４０の取付け作業工数の削減化が可能である。更に、電装品取付け台１０に対する複数の電装品の配置位置や大きさ、性能などが異なる異種、異仕様のテレビジョン受信機間で電装品取付け台１０を共通化することが可能である。また、その取付け作業での部品点数を少なくでき、取付け作業の簡素化が可能である。
【００３６】
更に、サブウーファ４０は金属製の電装品取付け台１０上の補強板１５に取付けられている。従って、サブウーファ４０が重量の重い電装品であっても、またそのサブウーファ４０が電装品取付け台１０の上下方向の中央部よりも更に上方の部位に位置していても、電装品取付け台１０に対するサブウーファ４０の取付け強度は極めて高い。よって、重いサブウーファ４０をテレビジョン受信機１の内部に高い強度で安定して配置することが可能である。しかも、電装品取付け台１０に固定する２枚の補強板１５は、長さの長い側が上下方向に配置された状態で電装品取付け台１０に固定されている。従って、補強板１５にサブウーファ４０の重力が下方向に作用しても電装品取付け台１０に対する補強板１５の取付け強度は高く、電装品取付け台１０へのサブウーファ４０の取付け強度を更に高めることができる。
【００３７】
図１０（ｂ）に示したように、補強板１５に形成したコ字形状の突起部１７をサブウーファ４０の中空円筒状の嵌合部４１に圧入した嵌合状態では、その圧入により、突起部１７の２つの水平部１７ｂは、嵌合部４１の中空円筒の内周面のうち上端面及び下端面のみに強固に密着する。従って、例えば突起部１７の形状を円筒形状として、その突起部を嵌合部４１の内周面の全面に圧入する場合に比べて、突起部１７を嵌合部４１にさほど強くない圧力で押し込むことができる構成としながら、補強板１５の突起部１７とサブウーファ４０の嵌合部４１との嵌合を強固にできて、サブウーファ４０の重量を嵌合部４１内周面の上端部及び下端部と突起部１７の上下の２つの水平部１７ｂとにより確実に支持することができる。
【００３８】
電装品取付け台１０には、金属製の補強板１５が取付けられ、この補強板１５に突起部１７が形成されているので、電装品取付け台１０が異種、異仕様のテレビジョン受信機にも共用化されている場合であっても、その電装品取付け台１０に補強板１５を介して突起部１７を形成できる。
【００３９】
また、本実施形態では、図６（ａ）及び（ｂ）に示したように、前記補強板１５におけるＬ字状部１６の起立部１６ｂには、その背面板６０側の端部に突起部１７が形成される構成である。この突起部１７の垂直部１７ａは、起立部１６ｂから更に背面板６０側に向う平板状であって、起立部１６ｂの背面板６０側に向う平板と連続した平面を形成している。しかし、この突起部１７の垂直部１７ａとＬ字状部１６の起立部１６ｂとには、この両者に跨ってその連続する平面同士を繋ぐようにテレビジョン受信機１の前後方向に直線形状に延びる盛上り部３０が形成されている。従って、この盛上り部３０により、突起部１７の垂直部１７ａとＬ字状部１６の起立部１６ｂとの接続強度が高くなり、盛上り部３０は前記突起部１７の起立部１６ｂに対する折れ曲り強度を補強する。従って、突起部１７がＬ字状部１６の起立部１６ｂとの境目部位で図６（ａ）中に矢印で示すように左又は右方向に折れ曲ることが抑制される。
【００４０】
更に、本実施形態では、図６（ａ）及び（ｂ）に示したように、前記補強板１５におけるＬ字状部１６において、起立部１６ｂは、補強板１５との境目の部位、すなわち、Ｌ字状部１６の水平部１７ｂと起立部１６ｂとの境目を成す折れ曲げ部位１６ｃが、上下方向に延びる直線形状となる構成である。従って、起立部１６ｂは下方向の圧力に対して曲げ強度が高く確保されるので、サブウーファ４０の重力が突起部１７からＬ字状部１６の起立部１６ｂに作用しても、起立部１６ｂはサブウーファ４０を良好に支持することが可能である。
【００４１】
加えて、前記Ｌ字状部１６においては、水平部１７ｂと起立部１６ｂとの境目の折れ曲げ部位１６ｃに屈曲部３１が形成されている。この屈曲部３１は、補強板１５に形成したＬ字状部１６の延長部１６ａに対する起立部１６ｂの折れ曲り強度を補強する。従って、サブウーファ４０の嵌合部４１と突起部１７との嵌合時や嵌合状態において、前記起立部１６ｂの折れ曲げ部位１６ｃを支点に図６（ａ）中に矢印で示す左又は右方向に曲げモーメントが起立部１６ｂに作用しても、折れ曲げ部位１６ｃにひび、割れが生じることなく、サブウーファ４０は起立部１６ｂに良好に支持される。
【００４２】
（実施形態２）
図１４は実施形態２のスピーカ取付け構造の要部を示す。
【００４３】
前記実施形態１では、補強板１５に設けた突起部１７を、垂直部１７ａと２つの水平部１７ｂとによりコ字形状に構成したが、本実施形態ではその変形例を示す。
【００４４】
図１４に示す突起部１７は、垂直部１７ａと、垂直部１７ａの上端部から右側方向に水平に延びる水平部１７ｂと、垂直部１７ａの下端部から左側方向に水平に延びる水平部１７ｃとから成る。この構成によっても、実施形態１と同様に、突起部１７をサブウーファ４０の嵌合部４１にさほど強くない圧力で押し込むことができる構成としながら、補強板１５の突起部１７とサブウーファ４０の嵌合部４１との嵌合強度を高くすることができる。
【００４５】
尚、垂直部１７ａの上端部に位置する水平部１７ｂも、左側方向に水平に延びる形状に形成しても良いのは勿論である。
【００４６】
（実施形態３）
図１５は実施形態３のスピーカ取付け構造の要部を示す。
【００４７】
本実施形態では、更に突起部１７の構成を変形した例を示している。
【００４８】
図１５の突起部１７は、垂直部１７ａと、垂直部１７ａの上下端部から各々右側方向に円弧状に延びる円弧部１７ｄとから成る。各円弧部１７ｄの外周面の円弧は、サブウーファ４０の嵌合部４１の中空円筒状の内周面４１ａに沿う形状である。従って、本実施形態によっても、実施形態１、２と同様に、突起部１７をサブウーファ４０の嵌合部４１にさほど強くない圧力で押し込むことができる構成としながら、補強板１５の突起部１７とサブウーファ４０の嵌合部４１との嵌合を強固にすることが可能である。
【００４９】
本実施形態では、サブウーファ４０を電装品取付け台１０に取付ける構成を例示したが、スピーカはサブウーファ４０に限定されず、メインスピーカ等であっても良いのは勿論である。
【００５０】
本発明は、その精神又は主要な特徴から逸脱することなく、他の種々な形で実施することができる。そのため、上述の実施形態は例示に過ぎず、限定的に解釈してはならない。本発明の特許請求の範囲の均等範囲に属する変形や変更は、全て本発明の範囲内のものである。
【産業上の利用可能性】
【００５１】
本発明は、スピーカ取付け構造において、重いスピーカであっても、ボス部やビス等を用いることなく、突起部と嵌合部との嵌合により金属製の電装品取付け台に強固に取付けることができるので、テレビジョン受信機に適用して、有用である。
【符号の説明】
【００５２】
１              テレビジョン受信機
２              画像表示パネル
１０            電装品取付け台
１３            受信部
１５            補強板
１６            Ｌ字状部
１６ａ          延長部
１６ｂ          起立部
１６ｃ          折れ曲げ部位
１７            突起部
１７ａ          垂直部
１７ｂ、１７ｃ  水平部
１７ｄ          円弧部
３０            盛上り部（第１補強部）
３１            屈曲部（第２補強部）
４０            サブウーファ（スピーカ）
４０ａ          音声出力面
４１            嵌合部
６０            背面板
６０ａ          開口部
６１            押え部
【図１】
2019212980.tif 000003
【図２】
2019212980.tif 000004
【図３】
2019212980.tif 000005
【図４】
2019212980.tif 000006
【図５】
2019212980.tif 000007
【図６】
2019212980.tif 000008
【図７】
2019212980.tif 000009
【図８】
2019212980.tif 000010
【図９】
2019212980.tif 000011
【図１０】
2019212980.tif 000012
【図１１】
2019212980.tif 000013
【図１２】
2019212980.tif 000014
【図１３】
2019212980.tif 000015
【図１４】
2019212980.tif 000016
【図１５】
2019212980.tif 000017